(57)【要約】 【課題】  投影装置とは電気的に独立した投影装置用ケースであっても、投影装置の稼働状態に合わせて駆動状態を変動可能することで、ランニングコストの抑制を図る。【解決手段】  投影装置用ケース１は、投影装置１００を覆うケース本体２と、投影装置１００の通気部１０３に対向する通気口３と、投影装置１００の排気部１０４に対向する排気口４と、排気口４に対向する位置に設けられた排気用ファン６と、通気口３を含む第一空間Ｈ１と排気口４及び排気用ファン６を含む第二空間Ｈ２とを分断するようにケース本体２内に設けられた仕切部７と、投影装置１００の駆動状態を検出するための検出部８と、検出部８の検出結果に基づいて排気用ファン６を制御する制御部９とを備えている。制御部９は、投影装置１００が駆動中である場合には排気用ファン６を駆動し、投影装置１００が停止中であると判断した場合には排気用ファン６を停止する。【選択図】        図１
2015036789.tif 000002
【特許請求の範囲】
【請求項１】
光源からの光を用いて形成した光像を投影する投影部と、当該投影部を収納する筐体と、前記筐体の内部に外気を取り込むための通気部と、前記筐体内部の空気を排出する排気部と、を備えた投影装置を覆うケース本体と、
前記ケース本体における前記通気部に対向する位置に設けられた通気口と、
前記ケース本体における前記排気部に対向する位置に設けられた排気口と、
前記排気口に対向する位置に設けられ、前記ケース本体内の空気を前記排気口に送って排出するための排気用ファンと、
前記通気口を含む第一空間と前記排気口及び前記排気用ファンを含む第二空間とを分断するように前記ケース本体内に設けられた仕切部と、
前記投影装置の駆動状態を検出するための検出部と、
前記検出部の検出結果に基づいて前記排気用ファンを制御する制御部とを備え、
前記制御部は、前記投影装置が駆動中であると前記検出部の検出結果に基づいて判断した場合には前記排気用ファンを駆動し、前記投影装置が停止中であると前記検出部の検出結果に基づいて判断した場合には前記排気用ファンを停止することを特徴とする投影装置用ケース。
【請求項２】
請求項１記載の投影装置用ケースにおいて、
前記通気口には防塵用のフィルターが取り付けられていることを特徴とする投影装置用ケース。
【請求項３】
請求項１又は２記載の投影装置用ケースにおいて、
前記通気口に対向する位置に設けられ、前記ケース本体外の空気を前記通気口から吸引するための通気用ファンをさらに備え、
前記制御部は、前記投影装置が駆動中であると前記検出部の検出結果に基づいて判断した場合には前記通気用ファンを駆動し、前記投影装置が停止中であると前記検出部の検出結果に基づいて判断した場合には前記通気用ファンを停止することを特徴とする投影装置用ケース。
【請求項４】
請求項３記載の投影装置用ケースにおいて、
前記制御部は、前記投影装置が定収であると前記検出部の検出結果に基づいて判断した場合には、まず前記通期用ファンを停止させ、その後、前記排気用ファンを停止させることを特徴とする投影装置用ケース。
【請求項５】
請求項１〜４のいずれか一項に記載の投影装置用ケースにおいて、
前記制御部は、前記仕切部の種類によって前記排気用ファンの回転数を調整することができ、
前記ケース本体の少なくとも前記投影部から投影された光が通過する領域は、透光性のある素材で形成されていることを特徴とする投影装置用ケース。
【請求項６】
請求項１〜５のいずれか一項に記載の投影装置用ケースにおいて、
前記検出部は、前記投影部からの光の有無を検出する光センサであることを特徴とする投影装置用ケース。
【請求項７】
請求項１〜６のいずれか一項に記載の投影装置用ケースにおいて、
前記検出部は、前記第二空間の内部温度と、前記ケース本体の外部温度との温度差を検出するための温度センサであることを特徴とする投影装置用ケース。
【請求項８】
請求項１〜７のいずれか一項に記載の投影装置用ケースにおいて、
前記ケース本体には、前記投影部からの光像の経路を開放する開口部と、前記経路の周囲を囲む壁部とが設けられていることを特徴とする投影装置用ケース。
【発明の詳細な説明】
【技術分野】
【０００１】
本発明は、投影装置用ケースに関する。
【背景技術】
【０００２】
プロジェクターなどの投影装置においては、光源ランプと、光源ランプからの光を調光して映像光を生成する液晶パネルと、液晶パネルにより生成された映像光を被投射面に投射する投射レンズユニットと、これらを収容するキャビネットとを備えたものが知られている（例えば特許文献１参照）。さらには、液晶パネル以外にも、ＤＬＰ（デジタルライトプロセッサ）などのその他の像形成手段を備えた投影装置が知られている。
ここで、投影装置の設置箇所によっては想定以上に空気が汚れている場所もあり、そういう場所であると投影装置の劣化が予想以上に進行してしまう。劣化を抑制すべく投影装置自体の防塵性能を高めることも考えられるが、一般的な環境に設置される投影装置に対しては過剰な機能を搭載することとなり、ユーザーに与える経済的な負担も大きくなる。
このため、投影装置を覆って防塵性能を補うケースを投影装置とは別体で予め準備しておき、設置場所の環境条件から投影装置の防塵性能を高めることが必要であったら、オプションとしてケースを購入し後付けで粉塵対策を図ることも考えられる。
【先行技術文献】
【特許文献】
【０００３】
【特許文献１】特開２０１２−２４２４５７号公報
【発明の概要】
【発明が解決しようとする課題】
【０００４】
ここで、投影装置を収容する投影装置用ケースでは、投影装置からの熱を外部へと排気しなければ投影装置が熱暴走をしてしまう恐れがあり、放熱機構を設置しなければならない。前述したように投影装置と投影装置用ケースとはそれぞれ別体で電気的に独立しているために、各々に電源が必要となる。両者が電気的に接続されていなければ、投影装置の状態によらずとも投影装置用ケースの放熱機構を常に駆動させておく必要がある。つまり、放熱の不要なときでも放熱機構が駆動するため、電力を無駄に消費してランニングコストが増加してしまうおそれがある。
そこで本発明の課題は、投影装置とは電気的に独立した投影装置用ケースであっても、投影装置の稼働状態に合わせて駆動状態を変動可能とすることで、ランニングコストの抑制を図ることである。
【課題を解決するための手段】
【０００５】
以上の課題を解決するため、本発明の一の態様によれば、
光源からの光を用いて形成した光像を投影する投影部と、当該投影部を収納する筐体と、前記筐体の内部に外気を取り込むための通気部と、前記筐体内部の空気を排出する排気部と、を備えた投影装置を覆うケース本体と、
前記ケース本体における前記通気部に対向する位置に設けられた通気口と、
前記ケース本体における前記排気部に対向する位置に設けられた排気口と、
前記排気口に対向する位置に設けられ、前記ケース本体内の空気を前記排気口に送って排出するための排気用ファンと、
前記通気口を含む第一空間と前記排気口及び前記排気用ファンを含む第二空間とを分断するように前記ケース本体内に設けられた仕切部と、
前記投影装置の駆動状態を検出するための検出部と、
前記検出部の検出結果に基づいて前記排気用ファンを制御する制御部とを備え、
前記制御部は、前記投影装置が駆動中であると前記検出部の検出結果に基づいて判断した場合には前記排気用ファンを駆動し、前記投影装置が停止中であると前記検出部の検出結果に基づいて判断した場合には前記排気用ファンを停止することを特徴とする投影装置用ケースが提供される。
【発明の効果】
【０００６】
本発明によれば、投影装置とは電気的に独立した投影装置用ケースであっても、投影装置の稼働状態に合わせて駆動状態を変動させることができ、ランニングコストを抑制することが可能となる。
【図面の簡単な説明】
【０００７】
【図１】本実施形態に係る投影装置用ケースの概略構成を上方から示す模式図である。
【図２】本実施形態に係る仕切部の概略構成を示す正面図である。
【図３】図１の場合よりも大きな投影装置が収容された投影装置用ケースの概略構成を上方から示す模式図である。
【図４】本実施形態の投影装置用ケースの主制御構成を示すブロック図である。
【図５】投影装置用ケースの変形例の概略構成を上方から示す模式図である。
【図６】投影装置用ケースの変形例の概略構成を上方から示す模式図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は本実施形態に係る投影装置用ケースの概略構成を上方から示す模式図である。図１に示すように投影装置用ケース１は投影装置１００を覆うものである。なお、図１では投影装置１００の前後左右方向しか覆われていないが、実際には投影装置用ケース１は投影装置１００の上下方向も覆っている。
【００１０】
先ず、投影装置１００は、図示しない光源からの光を用いて形成した光像を投影する投影部１０１と、当該投影部１０１を収納する筐体１０２と、筐体１０２の内部に外気を取り込むための通気部１０３と、筐体１０２内部の空気を排出する排気部１０４とを備えている。
投影装置１００の光源は、例えば発光ダイオードやレーザダイオードを含む半導体光源である。
通気部１０３は筐体１０２の背面側から見て右側面に設けられている。投影部１０１から投影された光像は、筐体１０２の前面から前方に向けて照射されるようになっている。
また、排気部１０４は筐体１０２の背面側から見て前面及び左側面に設けられている。排気部１０４には図示しない排気用のファンが設けられていて、このファンによって筐体１０２内の空気を筐体１０２外に強制的に排出できるようになっている。
【００１１】
投影装置用ケース１には、投影装置１００を覆うケース本体２が設けられている。ケース本体２は、商品ラインアップにある投影装置のうち最も大きな投影装置１００が収納できる大きさの中空な例えば略直方体形状に形成されている。略直方体形状の各角部は丸みを帯びていてもよい。
ケース本体２のうち、少なくとも投影部１０１から照射された光が通過する領域と、投影装置１００を操作するためのリモコンからの信号を受光するための領域とは透光性のある素材で形成されている。透光性のある素材としては、例えばアクリル板などのような透光性樹脂からなる板材が挙げられる。このため、ケース本体２は、その全体が透光性樹脂からなる板材によって形成されていてもよいし、透光性の不要な箇所においては金属板で形成されていてもよい。金属板を用いている場合には放熱効率を比較的高めることができる。
また、投影装置１００の背面側から見てケース本体２の右側面には通気部１０３に対向する通気口３が設けられている。また、投影装置１００の背面側から見てケース本体２の前面及び左側面には排気部１０４に対向する排気口４が設けられている。
なお、投影装置１００の機種や大きさによって輝度や排気部１０４に設けられた排気用ファンの大きさは異なっている。一般的に小型の投影装置１００に設けられているファンの大きさは、比較的大型の投影装置１００に設けられているファンの大きさと比較して小さい。このため、小型の投影装置１００では大型の投影装置１００と比較して放熱性が悪い場合が多い。従って、小型の投影装置１００を投影装置用ケース１内に配置した場合には、比較的大型の投影装置１００を投影装置用ケース１内に配置した場合と比較して、排気用ファン６の回転数を大きくすることができる。例えば、排気用ファン６の回転数を３段階調整できるようにし、手動で切り替えを行えるようにすることができる。或いは投影装置１００の大きさによって仕切り部７の凹部７１の大きさは異なるため、凹部７１の大きさの違いを認識するセンサを設けることで、自動で排気用ファン６の回転数を変更できるようにしてもよい。
【００１２】
通気口３には、当該通気口３を覆うように防塵用のフィルター３１を支持するフィルター支持部３２が取り付けられている。フィルター支持部３２はフィルター３１を交換自在に保持している。ケース本体２の内側であって通気口３に対向する位置には、ケース本体２外の空気を通気口３から吸引するための通気用ファン５が設けられている。なお、通気用ファン５を設けなくてもよい。
一方、ケース本体２の内側であって排気口４に対向する位置には、ケース本体２内の空気を排気口４に送って排出するための排気用ファン６が設けられている。
【００１３】
また、ケース本体２の内部には、通気口３及び通気用ファン５を含む第一空間Ｈ１と、排気口４及び排気用ファン６を含む第二空間Ｈ２とを分断する仕切部７が設けられている。
図２は、仕切部７の概略構成を示す正面図である。仕切部７は板材であり、その中央部に投影装置１００が嵌合する凹部７１が形成されている。凹部７１に投影装置１００を嵌合すると、仕切部７の下端がケース本体２の底板に当接し、仕切部７の上端がケース本体２の天板に当接する。また、仕切部７の両側端部は、図１に示すようにそれぞれケース本体２の対向する角部に当接する。これにより、第一空間Ｈ１と第二空間Ｈ２とが仕切られることになる。
【００１４】
図３は、図１の場合よりも大きな投影装置１００Ａが収容された投影装置用ケース１の概略構成を上方から示す模式図である。図３に示すように、大きさの異なる投影装置１００Ａがケース本体２内に収容された場合には、当該投影装置１００Ａの大きさに対応した凹部７１ａを有する仕切部７ａを用いる。このように商品ラインアップにある投影装置１００，１００Ａの大きさに対応した凹部７１，７１ａを有する仕切部７，７ａを予め準備しておけば、いずれの投影装置１００，１００Ａであっても第一空間Ｈ１と第二空間Ｈ２とを仕切ることが可能になっている。
【００１５】
また、ケース本体２の内部には、投影装置１００の駆動状態を検出するための検出部８が設けられている。検出部８は光センサであり、投影装置１００の投影部１０１から照射された光を検出できる位置に配置されている。これにより、検出部８は、投影部１０１からの光の有無を検出することができるようになっている。
光センサとしては、例えばフォトトランジスタや、フォトダイオードなどが挙げられ、これらを単体で用いてもよいし、これらにアンプ回路を接続したものを用いてもよい。
【００１６】
図４は、本実施形態の投影装置用ケース１の主制御構成を示すブロック図である。図４に示すように投影装置用ケース１には、検出部８の検出結果に基づいて通気用ファン５、排気用ファン６を制御する制御部９が設けられている。具体的には、制御部９は、投影部１０１からの光が「有り」と検出部８の検出結果が示している場合には投影装置１００が駆動中と判断し、通気用ファン５及び排気用ファン６を駆動する。他方、制御部９は、投影部１０１からの光が「無し」と検出部８の検出結果が示している場合には投影装置１００が停止中と判断し、通気用ファン５及び排気用ファン６を停止する。通気用ファン５と排気用ファン６の停止は同時に行うか、通気用ファン５を停止させた後、排気用ファン６を停止させる。
【００１７】
次に、本実施形態の作用について説明する。
まず、投影装置１００の停止時においては投影部１０１から光が照射されていないため、検出部８は検出結果を「無し」とする。これにより制御部９は投影装置１００が停止中と判断し、通気用ファン５及び排気用ファン６を停止している。
その後、投影装置１００が駆動し、投影部１０１から光像が投影されると、検出部８はその光を受光し、検出結果を「有り」とする。制御部９は投影装置１００が駆動中と判断して、通気用ファン５及び排気用ファン６を駆動する。通気用ファン５によってケース本体２の外部から強制的に吸い込まれた空気はフィルター３１を通過して浄化される。その後、空気は第一空間Ｈ１を介して通気部１０３から投影装置１００内に進入する。投影装置１００内を通過した空気は排気部１０４から排出され、第二空間Ｈ２に進入し、排気用ファン６によって排気口４から強制的にケース本体２の外部へと排出される。
そして、再度投影装置１００が停止されると、検出部８が検出結果を「無し」とするため、制御部９は投影装置１００が停止中と判断して、通気用ファン５及び排気用ファン６を停止する。この際、通気用ファン５と排気用ファン６の停止を同時に行うのではなく、通気用ファン５を停止させた後、排気用ファン６を停止させてもよい。また、投影装置１００が停止された後、直ぐに通気用ファン５と排気用ファン６とを停止するのではなく、所定の時間経過後に停止させるようにすることで、投影装置用ケース１内の熱をより放出することができる。
【００１８】
以上のように本実施形態によれば、投影装置１００の駆動状態を検出する検出部８が投影装置用ケース１に設けられているので、投影装置用ケース１が投影装置１００から電気的に独立していたとしても投影装置１００の駆動状態を検出することができる。そして、検出部８の検出結果に基づいて制御部９は、投影装置１００が駆動中であると判断した場合には通気用ファン５及び排気用ファン６を駆動し、投影装置１００が停止中であると判断した場合には通気用ファン５及び排気用ファン６を停止するので、投影装置１００の状態に合わせて通気用ファン５及び排気用ファン６の駆動状態を変動可能とすることができる。したがって、ランニングコストを抑制することができる。
なお、通気用ファン５が無くとも排気用ファン６だけあれば、ケース本体２の外気を通気口３から吸引し、排気口４から排出することも可能である。ただ、通気用ファン５を設ければ、強制的に外気を吸引することができ、放熱効率を高めることが可能となる。
【００１９】
また、防塵用のフィルター３１が通気口３に取り付けられているので、投影装置１００に空気が達するまでに当該空気を浄化することができる。さらに、上述したように、投影装置１００の状態に合わせて通気用ファン５及び排気用ファン６の駆動状態が変動されていれば、投影装置１００の停止時に空気がフィルター３１を通過することもないので、フィルター３１の劣化も抑制することができる。したがって、ランニングコストをさらに抑制することが可能となる。
【００２０】
ここで、投影部１０１から光が照射されているときは確実に投影装置１００が駆動中である。上述したように検出部８が投影部１０１からの光の有無を検出する光センサであれば、確実に投影装置１００の駆動状態を検出することができる。
【００２１】
なお、本発明は上記実施形態に限らず適宜変更可能である。
例えば上記実施形態では、検出部８が光センサである場合を例示して説明したが、検出部８としては、投影装置１００の駆動状態を検出できるものであれば如何なるものを適用可能である。
図５は、異なる種類の検出部を用いた投影装置用ケースの概略構成を上方から示す模式図である。この図５で示す検出部１０は温度センサである。なお、以下の説明において上記実施形態と同一の箇所においては同一の符号を付してその説明を省略する。
図５に示す投影装置用ケース１Ａの検出部１０には、第二空間Ｈ２の内部温度を検出する内部温度センサ１１と、ケース本体２の外部温度を検出する外部温度センサ１２とが備えられている。外部温度センサ１２は、ケース本体２からの排気の影響を受けにくい箇所に設けられている。内部温度センサ１１及び外部温度センサ１２は例えばサーミスタ等である。
内部温度センサ１１及び外部温度センサ１２は図４に示す制御部９に接続されている。制御部９は、内部温度センサ１１及び外部温度センサ１２からの検出結果に基づいて、第二空間Ｈ２の内部温度と、ケース本体２の外部温度との温度差を測定する。制御部９は、温度差が所定値以上である場合には投影装置１００が駆動中として判断し、温度差が所定値未満である場合には投影装置１００が停止中として判断する。所定値は、少なくとも投影装置１００が熱暴走しない値であって、投影装置１００が駆動しているか否かを判断できる値に設定されている。
このように、検出部１０として温度センサを用いた場合であっても、投影装置１００の駆動状態を検出することができる。
【００２２】
また、上記実施形態のように投影部１０１から照射された光が通過する領域が透光性のある素材で形成されていたとしても、投影部１０１の前方が覆われているのはわずかであっても光を弱めてしまい好ましくない。さらに、長期間使用しているとその部分が汚れてしまい、投影画像の鮮明性を低下させるおそれがある。このため、図６に示す投影装置用ケース１Ｂのように、ケース本体２ｂに対して、投影部１０１からの光像の経路を開放する開口部２１を形成することが望ましい。そして、第一空間Ｈ１の閉塞性を確保するため、開口部２１の周囲には、光像の経路の周囲を囲む壁部２２を形成する。壁部２２の一端部は投影装置１００の前面に当接している。なお、検出部８が光センサである場合には、検出部８が投影部１０１からの光を検出できるように、壁部２２における少なくとも検出部８の受光部に対向する部分を透光性のある素材で形成しておく必要がある。
【００２３】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００２４】
〔付記〕
＜請求項１＞
光源からの光を用いて形成した光像を投影する投影部と、当該投影部を収納する筐体と、前記筐体の内部に外気を取り込むための通気部と、前記筐体内部の空気を排出する排気部と、を備えた投影装置を覆うケース本体と、
前記ケース本体における前記通気部に対向する位置に設けられた通気口と、
前記ケース本体における前記排気部に対向する位置に設けられた排気口と、
前記排気口に対向する位置に設けられ、前記ケース本体内の空気を前記排気口に送って排出するための排気用ファンと、
前記通気口を含む第一空間と前記排気口及び前記排気用ファンを含む第二空間とを分断するように前記ケース本体内に設けられた仕切部と、
前記投影装置の駆動状態を検出するための検出部と、
前記検出部の検出結果に基づいて前記排気用ファンを制御する制御部とを備え、
前記制御部は、前記投影装置が駆動中であると前記検出部の検出結果に基づいて判断した場合には前記排気用ファンを駆動し、前記投影装置が停止中であると前記検出部の検出結果に基づいて判断した場合には前記排気用ファンを停止することを特徴とする投影装置用ケース。
＜請求項２＞
請求項１記載の投影装置用ケースにおいて、
前記通気口には防塵用のフィルターが取り付けられていることを特徴とする投影装置用ケース。
＜請求項３＞
請求項１又は２記載の投影装置用ケースにおいて、
前記通気口に対向する位置に設けられ、前記ケース本体外の空気を前記通気口から吸引するための通気用ファンをさらに備え、
前記制御部は、前記投影装置が駆動中であると前記検出部の検出結果に基づいて判断した場合には前記通気用ファンを駆動し、前記投影装置が停止中であると前記検出部の検出結果に基づいて判断した場合には前記通気用ファンを停止することを特徴とする投影装置用ケース。
＜請求項４＞
請求項３記載の投影装置用ケースにおいて、
前記制御部は、前記投影装置が定収であると前記検出部の検出結果に基づいて判断した場合には、まず前記通期用ファンを停止させ、その後、前記排気用ファンを停止させることを特徴とする投影装置用ケース。
＜請求項５＞
請求項１〜４のいずれか一項に記載の投影装置用ケースにおいて、
前記制御部は、前記仕切部の種類によって前記排気用ファンの回転数を調整することができ、
前記ケース本体の少なくとも前記投影部から投影された光が通過する領域は、透光性のある素材で形成されていることを特徴とする投影装置用ケース。
＜請求項６＞
請求項１〜５のいずれか一項に記載の投影装置用ケースにおいて、
前記検出部は、前記投影部からの光の有無を検出する光センサであることを特徴とする投影装置用ケース。
＜請求項７＞
請求項１〜６のいずれか一項に記載の投影装置用ケースにおいて、
前記検出部は、前記第二空間の内部温度と、前記ケース本体の外部温度との温度差を検出するための温度センサであることを特徴とする投影装置用ケース。
＜請求項８＞
請求項１〜７のいずれか一項に記載の投影装置用ケースにおいて、
前記ケース本体には、前記投影部からの光像の経路を開放する開口部と、前記経路の周囲を囲む壁部とが設けられていることを特徴とする投影装置用ケース。
【符号の説明】
【００２５】
１      投影装置用ケース
２      ケース本体
３      通気口
４      排気口
５      通気用ファン
６      排気用ファン
７      仕切部
８      検出部
９      制御部
２１      開口部
２２      壁部
３１      フィルター
１００      投影装置
１０１      投影部
１０２      筐体
１０３      通気部
１０４      排気部
Ｈ１      第一空間
Ｈ２      第二空間
【図１】
2015036789.tif 000003
【図２】
2015036789.tif 000004
【図３】
2015036789.tif 000005
【図４】
2015036789.tif 000006
【図５】
2015036789.tif 000007
【図６】
2015036789.tif 000008